(57)【要約】【課題】テレビ放送信号を分波、分配又は分岐して複数の出力コネクタから出力させる放送信号出力装置において、複数の出力コネクタを、テレビ放送受信装置に設けられた複数の入力端子に直接接続できるようにする。【解決手段】テレビ放送受信装置に設けられた地上波放送・衛星放送の入力端子に直接接続可能な出力コネクタ１２、１４と、出力コネクタ１２、１４が設けられた筐体４と、筐体４内に収納され、信号線６を介して入力されたテレビ放送信号を分波して、各出力コネクタ１２、１４から出力させる分波回路とを備える。筐体４は、出力コネクタ１２、１４がそれぞれ設けられた大小２つの筐体２２、２４にて構成され、筐体２４は、筐体２２内に摺動可能に設けられる。【選択図】図１
2016072008.tif 000002
【特許請求の範囲】
【請求項１】
テレビ放送受信装置に設けられた複数の放送信号入力端子に直接接続可能な複数の出力コネクタと、
外壁面に前記複数の出力コネクタが間隔をおいて設けられた筐体と、
前記筐体内に収納され、前記筐体外部から入力されたテレビ放送信号を分波、分配又は分岐して、前記複数の出力コネクタから出力させる信号処理回路と、
を備え、
前記複数の出力コネクタの内、少なくとも１つは、前記筐体に、他の出力コネクタとの間隔を調整可能に設けられていることを特徴とする放送信号出力装置。
【請求項２】
前記複数の出力コネクタは、それぞれ、オスのＦ型コネクタにて構成されていることを特徴とする請求項１に記載の放送信号出力装置。
【請求項３】
前記筐体は、前記複数の出力コネクタの内、少なくとも１つが固定された第１筐体と、他の出力コネクタが固定された第２筐体と、を備え、
前記第２筐体は、前記第１筐体を挿入可能な開口部を備え、該開口部への前記第１筐体の挿入量を調整することにより、当該第２筐体に設けられた出力コネクタと前記第１筐体に設けられた出力コネクタとの間隔を調整可能である、ことを特徴とする請求項１又は請求項２に記載の放送信号出力装置。
【請求項４】
前記筐体は、前記複数の出力コネクタの内、少なくとも１つが固定された第１筐体と、他の出力コネクタが固定されると共に前記信号処理回路が収納された第２筐体と、前記第１筐体と前記第２筐体とを接続し、前記信号処理回路から前記第１筐体に固定された前記出力コネクタへテレビ放送信号を伝送するケーブルと、を備え、
前記ケーブルは、前記第１筐体と前記第２筐体との間隔を調整可能な長さに設定されている、ことを特徴とする請求項１又は請求項２に記載の放送信号出力装置。
【請求項５】
前記信号処理回路は、
前記筐体外部から入力されたテレビ放送信号を、地上波放送信号と衛星放送信号とに分波する分波回路と、
前記分波回路からの衛星放送信号の出力経路から、前記分波回路へのテレビ放送信号の入力経路へ、直流電流を通過させる電流通過回路と、
を備えたことを特徴とする請求項１〜請求項４の何れか１項に記載の放送信号出力装置。
【発明の詳細な説明】
【技術分野】
【０００１】
本発明は、テレビ放送信号を分波、分配又は分岐して、複数の出力コネクタから出力させる放送信号出力装置に関する。
【背景技術】
【０００２】
従来、ＣＡＴＶ用機器においては、筐体への接栓の取付位置を、使用箇所に合わせて変更できるようにすることで、狭い場所での同軸ケーブルの配線作業をし易くすることが提案されている（例えば、特許文献１参照）。
【０００３】
この提案のＣＡＴＶ用機器においては、接栓取付用の開口部を筐体の角部に設け、しかも、その開口部を、筐体の角部の一方の面から他方の面へと長尺状に形成することで、接栓を開口部の長手方向にスライドさせて、接栓の筐体からの突出方向を略９０度の範囲内で変更できるようにしている。
【０００４】
このため、上記提案のＣＡＴＶ機器によれば、接栓に同軸ケーブルを接続する際に、筐体に対する同軸ケーブルの接続方向を変更することができるようになり、同軸ケーブルの接続作業を簡単にすることができる。
【先行技術文献】
【特許文献】
【０００５】
【特許文献１】実開平６−１１２８１号公報
【発明の概要】
【発明が解決しようとする課題】
【０００６】
しかしながら、上記提案のＣＡＴＶ機器は、筐体からの接栓の突出方向を変更できるようにしたものであり、筐体に設けられる接栓同士の間隔を調整することはできない。
このため、上記提案の技術を、例えば分波器、分配器、若しくは分岐器のように、放送信号出力用のコネクタを複数備えた放送信号出力装置に適用しても、その複数の出力コネクタを、テレビ放送受信装置（所謂テレビ、レコーダ等）に設けられている複数の入力端子に直接接続できるようにすることはできなかった。
【０００７】
つまり、分波器や分配器にて放送信号を、複数系統に分波、分配、若しくは分岐して、テレビ放送受信装置に設けられた各種放送信号入力用の複数の入力端子に入力する場合、分波器、分配器、若しくは分岐器に設けられた出力コネクタを、その複数の入力端子に直接接続できるようにすれば、接続作業を簡単に行うことができるが、上記提案の技術を分波器、分配器、若しくは分岐器に適用しても、このようなことはできない。
【０００８】
本発明は、こうした問題に鑑みなされたものであり、テレビ放送信号を分波、分配又は分岐して複数の出力コネクタから出力させる放送信号出力装置において、複数の出力コネクタを、テレビ放送受信装置に設けられた複数の入力端子に直接接続できるようにすることを目的とする。
【課題を解決するための手段】
【０００９】
かかる目的を達成するためになされた請求項１に記載の放送信号出力装置は、
テレビ放送受信装置に設けられた複数の放送信号入力端子に直接接続可能な複数の出力コネクタと、
外壁面に前記複数の出力コネクタが間隔をおいて設けられた筐体と、
前記筐体内に収納され、前記筐体外部から入力されたテレビ放送信号を分波、分配又は分岐して、前記複数の出力コネクタから出力させる信号処理回路と、
を備え、
前記複数の出力コネクタの内、少なくとも１つは、前記筐体に、他の出力コネクタとの間隔を調整可能に設けられていることを特徴とする。
【００１０】
また、請求項２に記載の発明は、請求項１に記載の放送信号出力装置において、前記複数の出力コネクタは、それぞれ、オスのＦ型コネクタにて構成されていることを特徴とする。
【００１１】
また、請求項３に記載の発明は、請求項１又は請求項２に記載の放送信号出力装置において、
前記筐体は、前記複数の出力コネクタの内、少なくとも１つが固定された第１筐体と、他の出力コネクタが固定された第２筐体と、を備え、
前記第２筐体は、前記第１筐体を挿入可能な開口部を備え、該開口部への前記第１筐体の挿入量を調整することにより、当該第２筐体に設けられた出力コネクタと前記第１筐体に設けられた出力コネクタとの間隔を調整可能であることを特徴とする。
【００１２】
また、請求項４に記載の発明は、請求項１又は請求項２に記載の放送信号出力装置において、
前記筐体は、前記複数の出力コネクタの内、少なくとも１つが固定された第１筐体と、他の出力コネクタが固定されると共に前記信号処理回路が収納された第２筐体と、前記第１筐体と前記第２筐体とを接続し、前記信号処理回路から前記第１筐体に固定された前記出力コネクタへテレビ放送信号を伝送するケーブルと、を備え、
前記ケーブルは、前記第１筐体と前記第２筐体との間隔を調整可能な長さに設定されていることを特徴とする。
【００１３】
また、請求項５に記載の発明は、請求項１〜請求項４の何れか１項に記載の放送信号出力装置において、
前記信号処理回路は、
前記筐体外部から入力されたテレビ放送信号を、地上波放送信号と衛星放送信号とに分波する分波回路と、
前記分波回路からの衛星放送信号の出力経路から、前記分波回路へのテレビ放送信号の入力経路へ、直流電流を通過させる電流通過回路と、
を備えたことを特徴とする。
【発明の効果】
【００１４】
請求項１に記載の放送信号出力装置によれば、筐体に複数の出力コネクタが設けられており、筐体内に収納された信号処理回路が、筐体外部から入力されたテレビ放送信号を分波、分配又は分岐して、複数の出力コネクタから出力させる。
【００１５】
このため、本発明の放送信号出力装置は、信号処理回路により、テレビ放送信号を放送種別（換言すれば周波数帯域）にて分波する分波器、テレビ放送信号を複数系統に分配する分配器、若しくはテレビ放送信号を分岐する分岐器として機能する。
【００１６】
また、信号処理回路にて分波、分配、若しくは分岐された複数のテレビ放送信号を出力するために筐体に設けられた複数の出力コネクタは、テレビ放送受信装置に設けられた複数の放送信号入力端子に直接接続可能なコネクタにて構成されており、しかも、その内の少なくとも１つは、筐体に対し、他の出力コネクタとの間隔を調整可能に設けられている。
【００１７】
このため、本発明の放送信号出力装置によれば、接続対象となるテレビ放送受信装置において、各種放送信号入力用の入力端子の間隔が、製造会社や機種によって異なっていても、その間隔に対応させて出力コネクタの間隔を調整することで、各出力コネクタを、テレビ放送受信装置の各放送信号入力端子に、直接且つ同時に接続することができるようになり、その接続作業を極めて簡単に行うことが可能となる。
【００１８】
また、複数の出力コネクタをテレビ放送受信装置の複数の放送信号入力端子に接続する際、従来の分波器、分配器若しくは分岐器のように、接続用のケーブル(同軸ケーブル等)を利用する必要がないため、接続のための配線が煩雑になるのを防止できる。
【００１９】
また、複数の出力コネクタを、テレビ放送受信装置に設けられた複数の放送信号入力端子に接続することで、放送信号出力装置自体を、テレビ放送受信装置に直接装着できるため、放送信号出力装置を、同軸ケーブルを介して、テレビ放送受信装置に接続するときのように、放送信号出力装置の設置スペースを確保する必要がなく、放送信号出力装置の設置作業も簡単にすることができる。
【００２０】
なお、テレビやレコーダ等の市販のテレビ放送受信装置には、地上波放送信号や衛星放送信号を入力するための放送信号入力端子として、通常、メスのＦ型コネクタが設けられることから、本発明の放送信号出力装置においては、請求項２に記載のように、複数の出力コネクタとして、オスのＦ型コネクタを設けるとよい。
【００２１】
また、複数の出力コネクタの間隔を調整できるようにするには、複数の出力コネクタを、同一の筐体壁面に設け、しかも、少なくとも出力コネクタの１つを、特許文献１に記載のようなスライド機構を利用して、筐体壁面にスライド可能に設けるようにしてもよく、或いは、請求項３若しくは請求項４に記載のように、筐体を第１筐体と第２筐体とで構成してもよい。
【００２２】
すなわち、請求項３に記載の放送信号出力装置においては、複数の出力コネクタの内、少なくとも１つが第１筐体に固定され、他の出力コネクタが第２筐体に固定され、しかも、第２筐体は、第１筐体を挿入可能な開口部を備える。
【００２３】
従って、請求項３に記載の放送信号出力装置によれば、第２筐体の開口部への第１筐体の挿入量を調整することにより、第２筐体に設けられた出力コネクタと第１筐体に設けられた出力コネクタとの間隔を設定できる。
【００２４】
また、請求項４に記載の放送信号出力装置においては、複数の出力コネクタの内、少なくとも１つが第１筐体に固定され、他の出力コネクタが第２筐体に固定され、しかも、第２筐体には、信号処理回路が収納される。
【００２５】
そして、第１筐体と第２筐体とは、第２筐体内の信号処理回路から第１筐体に固定された出力コネクタへテレビ放送信号を伝送するケーブルを介して接続され、しかも、そのケーブルは、第１筐体と第２筐体との間隔を調整可能な長さに設定されている。
【００２６】
従って、請求項４に記載の放送信号出力装置によれば、第１筐体と第２筐体との間隔、延いては、これら各筐体に設けられた出力コネクタ同士の間隔を、任意に設定することが可能となる。
【００２７】
次に、信号処理回路は、上述したように、分波回路にて構成してもよく、分配回路にて構成してもよいが、信号処理回路を、筐体外部から入力されたテレビ放送信号を地上波放送信号と衛星放送信号とに分波する分波回路にて構成する場合には、請求項５に記載のように構成するとよい。
【００２８】
つまり、請求項５に記載の放送信号出力装置において、信号処理回路には、テレビ放送信号を地上波放送信号と衛星放送信号とに分波する分波回路と、分波回路からの衛星放送信号の出力経路から、分波回路へのテレビ放送信号の入力経路へ直流電流を通過させる電流通過回路と、が備えられている。
【００２９】
このため、請求項５に記載の放送信号出力装置によれば、テレビ放送受信装置の衛星放送信号入力端子から、衛星放送受信アンテナ（一般にパラボラアンテナ）駆動用の直流電力が出力されている場合に、その直流電力を、衛星放送受信アンテナや、テレビ放送信号の入力経路に設けられた増幅器（所謂ブースター）等に、供給することが可能となる。
【図面の簡単な説明】
【００３０】
【図１】第１実施形態の分波器の構成及び出力コネクタの移動状態を表す説明図である。
【図２】第１実施形態の分波器の内部構造を表す断面図である。
【図３】第１実施形態の分波器の回路構成を表すブロック図である。
【図４】第２実施形態の分波器の構成及び出力コネクタの移動状態を表す説明図である。
【図５】第２実施形態の分波器の内部構造を表す断面図である。
【図６】変形例１の分波器を表す説明図である。
【図７】変形例２の分波器の表す説明図である。
【発明を実施するための形態】
【００３１】
以下に本発明の実施形態を図面と共に説明する。
［第１実施形態］
本実施形態の放送信号出力装置は、例えば、ＢＳ・ＣＳ等の衛星放送信号を受信するパラボラアンテナからの受信信号と、テレビの地上波放送を受信するＵＨＦアンテナからの受信信号とを混合し、その混合信号を、同軸ケーブルを介して建造物（住宅等）内のテレビ端子まで伝送するテレビ放送受信システムにおいて、端末側で使用される分波器である。
【００３２】
つまり、本実施形態の分波器は、テレビ端子から出力されるテレビ放送信号を、衛星放送信号と地上波放送信号とに分波し、テレビ放送受信装置（所謂テレビ、レコーダ等）に設けられた各放送信号入力端子に直接入力するのに用いられる。
【００３３】
このため、図１、図２に示すように、本実施形態の分波器２には、テレビ端子から筐体４内にテレビ放送信号を取り込むための信号線６、信号線６を介して筐体４内に取り込まれたテレビ放送信号を衛星放送信号と地上波放送信号とに分波する分波回路が形成された回路基板１０（図２参照）、及び、回路基板１０の分波回路にて分波された衛星放送信号と地上波放送信号とをそれぞれ出力するための出力コネクタ１２、１４、を備える。
【００３４】
テレビ放送受信装置に設けられる放送信号入力端子は、通常、同軸ケーブルの中心導体を挿入して接続するためのメスの中心端子と、その端子周囲を囲むように絶縁物を介して中心端子周囲に配置される外部端子とを備えたメスのＦ型コネクタにて構成されることから、出力コネクタ１２、１４は、メスのＦ型コネクタに直接接続可能な、オスのＦ型コネクタにて構成されている。
【００３５】
このため、出力コネクタ１２、１４は、それぞれ、メスのＦ型コネクタの中心端子に挿入するための棒状（換言すれば針状）の中心端子１２ａ、１４ａと、その端子周囲を囲むように中心端子１２ａ、１４ａと同心円上に配置される中空筒状の外部端子１２ｂ、１４ｂとを備える。
【００３６】
なお、信号線６は、同軸ケーブルにて構成されており、その先端には、メスのＦ型コネクタからなるテレビ端子に直接接続できるように、テレビ放送信号の入力コネクタ８（図３参照）として、オスのＦ型コネクタが設けられている。
【００３７】
次に、筐体４は、矩形の箱形で互いに嵌合可能な大小２つの筐体２２、２４にて構成されている。このうち、大きい方の筐体２２は、筐体２４を挿入して摺動可能な開口部２２ａを備え、小さい方の筐体２４は、筐体２２への挿入方向壁面に同軸ケーブル挿通用の開口部２４ａを備える。
【００３８】
また、筐体２４の開口部２４ａには、筐体２４を筐体２２内に挿入した際、筐体２２の開口部２２ａの内壁面に係合して、筐体２４が筐体２２から抜けるのを防止する複数の係合突起２４ｂが設けられている。
【００３９】
次に、筐体２２、２４において、筐体２２内での筐体２４の摺動方向に平行で、且つ、筐体４全体で同一面をなす外壁面には、それぞれ、出力コネクタ１２、１４が突設されている。
【００４０】
そして、各筐体２２、２４の外壁面への出力コネクタ１２、１４の突設位置は、筐体２２内で筐体２４を摺動可能な移動距離を確保できるように、他方の筐体２４、２２から離れた位置となっている。
【００４１】
また、筐体２２において、筐体２４が挿入される開口部２２ａ側とは反対側の壁面には、信号線６を挿通するための挿通孔２２ｂが設けられている。そして、筐体２２内には、その挿通孔２２ｂを介して引き込まれた信号線６からテレビ放送信号を取り込み、衛星放送信号と地上波放送信号とに分波するための回路基板１０が収納されている。
【００４２】
また、筐体２２の内壁面には、筐体２４を挿入した際、その開口端に当接されて、筐体２４の挿入量を制限する係合突起２２ｃが形成されている。
また、回路基板１０には、筐体２２に固定された出力コネクタ１２が直接接続され、筐体２４に固定された出力コネクタ１４が、同軸ケーブル１６を介して接続されている。
【００４３】
なお、同軸ケーブル１６の長さは、筐体２４の係合突起２４ｂが筐体２２の開口部２２ａの内壁に係合する位置から、筐体２２の係合突起２２ｃが筐体２４の開口部２４ａ側端部に当接される位置まで、筐体２４を摺動可能な長さに設定されている。
【００４４】
このように構成された本実施形態の分波器によれば、筐体２２内で筐体２４を図１に示す移動範囲ΔＬ内で摺動させることができ、これによって、出力コネクタ１２と出力コネクタ１４との間隔を変更することが可能になる。
【００４５】
従って、テレビ放送受信装置において、衛星放送信号入力用の端子（メスのＦ型コネクタ）と、地上波放送信号入力用の端子（メスのＦ型コネクタ）との間隔が、製造会社や機種によって異なっていても、出力コネクタ１２と出力コネクタ１４との間隔を調整することで、出力コネクタ１２及び１４を、それぞれ、テレビ放送受信装置の衛星放送信号入力端子及び地上波放送信号入力端子に直接且つ同時に接続することができるようになる。
【００４６】
よって、本実施形態の分波器２によれば、テレビ放送受信装置に対する接続作業を極めて簡単に行うことができる。
また、複数の出力コネクタをテレビ放送受信装置の複数の放送信号入力端子に接続する際、従来の分波器、分配器若しくは分岐器のように、接続用のケーブル(同軸ケーブル等)を利用する必要がないため、接続のための配線が煩雑になるのを防止できる。
【００４７】
また、出力コネクタ１２，１４を、テレビ放送受信装置の放送信号入力端子に接続することで、分波器２自体を、テレビ放送受信装置に直接装着できるため、分波器２を、同軸ケーブルを介してテレビ放送受信装置に接続するようにしたときのように、分波器の設置スペースを確保する必要がなく、分波器の設置作業も簡単にすることができる。
【００４８】
なお、回路基板１０に形成される分波回路は、図３に示すように、入力コネクタ８に入力されたテレビ放送信号の内、衛星放送信号を出力コネクタ１２側へ選択的に通過させるハイパスフィルタ（ＨＰＦ）３２と、地上波放送信号を出力コネクタ１４側へ選択的に通過させるローパスフィルタ（ＬＰＦ）３４と、により構成される。
【００４９】
また、テレビ放送受信装置の衛星放送信号入力端子からは、衛星放送受信用のパラボラアンテナのコンバータに電源供給するための直流電圧が出力されることがあるので、回路基板１０において、出力コネクタ１２と入力コネクタ８との間には、直流電流を通過させる電流通過回路３６が設けられている。
【００５０】
また、ＬＰＦ３４と出力コネクタ１２との間には、電流通過回路３６を通過した直流電流がＬＰＦ３４を通って出力コネクタ１２から出力されることのないよう、直流電流を遮断し、テレビ放送信号を通過させる、バイパスコンデンサ３８が設けられている。
【００５１】
このため、本実施形態の分波器２によれば、テレビ放送受信装置の衛星放送信号入力端子から直流電圧が出力されている場合に、その直流電圧にて、パラボラアンテナのコンバータや、テレビ放送受信システムの伝送線上に設けられた増幅器（所謂ブースター）等の伝送機器に、電源供給を行うことが可能となる。
［第２実施形態］
図４、図５に示すように、本実施形態の放送信号出力装置は、第１実施形態の分波器２と同様、筐体４２、信号線６、回路基板１０、出力コネクタ１２、１４、及び、同軸ケーブル１６を備えた分波器４０である。
【００５２】
本実施形態の分波器４０は、信号線６、回路基板１０、出力コネクタ１２、１４、及び、同軸ケーブル１６の構成及び機能は、第１実施形態と同じであり、第１実施形態と異なる点は、筐体４２が１つであり、出力コネクタ１２が、その筐体４２の特定の外壁に固定され、出力コネクタ１４が、出力コネクタ１２と同じ外壁にスライド可能に設けられている点である。
【００５３】
すなわち、本実施形態の分波器４０において、出力コネクタ１２が固定される壁面には、出力コネクタ１４をスライド可能に突設するための長孔４２ａが形成されている。この長孔４２ａは、出力コネクタ１２に対し出力コネクタ１４を近接・離間できるように、筐体４２の外壁の長手方向に沿って、形成されている。
【００５４】
また、出力コネクタ１４は、長孔４２ａの長手方向と直交する幅方向の長さよりも長い幅を有し、長孔４２ａの長手方向の長さよりも長い長さを有する、長尺状の支持板４４に固定されている。
【００５５】
そして、筐体４２の内壁面には、長孔４２ａの幅方向両側で、支持板４４を長孔４２ａの長手方向に移動可能に支持するガイド部４２ｂが設けられている。
また、筐体４２の内壁面には、長孔４２ａの長手方向両端側で、支持板４４を挟み、出力コネクタ１４の移動に応じて、支持板４４を筐体４２の内側に案内するガイド部４２ｃ、４２ｄが設けられている。
【００５６】
なお、支持板４４は、ガイド部４２ｂ〜４２ｄに沿って移動できるように、板面が湾曲可能な柔軟な素材、例えば、ＰＥＴ等の合成樹脂からなる板材、若しくは薄い金属板にて構成されている。
【００５７】
このように構成された本実施形態の分波器４０においては、出力コネクタ１４を、筐体４２の長孔４２ａに沿って移動させることで、出力コネクタ１２と出力コネクタ１４との間隔を変更することができる。よって、本実施形態の分波器４０においても、第１実施形態の分波器２と同様の効果を得ることができる。
【００５８】
以上、本発明の実施形態について説明したが、本発明は、上記実施形態に限定されるものではなく、本発明の要旨を逸脱しない範囲内にて種々の態様をとることができる。
［変形例１］
例えば、図４に示す第２実施形態の分波器４０においては、出力コネクタ１４をスライドさせる長孔４２ａを、筐体４２の外壁の長手方向に沿った直線形状にしているが、図６に示す分波器４０′のように、長孔４２ａを円弧形状にしてもよい。
［変形例２］
また、第１実施形態では、筐体４を、出力コネクタ１２、１４がそれぞれ固定される大小２つの筐体２２、２４にて構成し、筐体２４を筐体２２の開口部２２ａから挿入して、その挿入量を変化させることで、出力コネクタ１２、１４の間隔を任意に設定できるようにした。
【００５９】
これに対し、図７に示す分波器５０のように、単に、出力コネクタ１２、１４を、それぞれ、異なる筐体５２、５４に固定し、一方の筐体５２に分波回路等の信号処理回路が形成された回路基板を収納して、筐体５２−５４間を同軸ケーブル１６にて接続することで、同軸ケーブル１６を介して回路基板と筐体５４の出力コネクタ１４とを電気的に接続するようにしてもよい。
［他の変形例］
一方、上記実施形態では、本発明を分波器に適用した場合について説明したが、本発明は、分配器若しくは分岐器に適用しても同様の効果を得ることができる。
【００６０】
なお、この場合、回路基板１０には、信号処理回路として、テレビ放送信号を分配又は分岐する分配回路又は分岐回路を形成するようにすればよい。
また、上記実施形態では、信号線６を介して入力されるテレビ放送信号を、地上波放送信号と衛星放送信号との２系統に分波する分波器について説明したが、本発明は、テレビ放送信号を３系統以上の数に分波、分配、若しくは分岐する、分波器、分配器、若しくは分岐器であっても適用できる。
【００６１】
また、上記実施形態では、テレビ放送信号は、信号線６を介して入力されるものとして説明したが、筐体にテレビ放送信号入力用の入力コネクタを直接設けるようにしてもよい。
【００６２】
なお、この場合、入力コネクタは、一般的な分波器、分配器、分岐器のように、メスのＦ型コネクタにて構成するとよい。
また、上述した実施形態及び変形例では、図１、図４、図６、図７に示すように、信号線６は、図面に向かって右側の筐体壁面から引き出されるものとしたが、信号線６若しくは入力コネクタが設けられる筐体壁面は、出力コネクタが突設された壁面とは異なる壁面であればよい。
【００６３】
また、信号線６若しくは入力コネクタは、筐体の壁面に対し、スライド可能（位置変更可能）に設けるようにしてもよく、或いは、特許文献１に記載のように、筐体の角部に、突出方向（角度）を変更可能に設けるようにしてもよい。
【符号の説明】
【００６４】
２…分波器、４…筐体、６…信号線、８…入力コネクタ、１０…回路基板、１２，１４…出力コネクタ、１２ａ，１４ａ…中心端子、１２ｂ，１４ｂ…外部端子、１６…同軸ケーブル、２２…筐体、２２ａ…開口部、２２ｂ…挿通孔、２２ｃ…係合突起、２４…筐体、２４ａ…開口部、２４ｂ…係合突起、３６…電流通過回路、３８…バイパスコンデンサ、４０，４０′…分波器、４２…筐体、４２ａ…長孔、４２ｂ〜４２ｄ…ガイド部、４４…支持板、５０…分波器、５２，５４…筐体。
【図１】
2016072008.tif 000003
【図２】
2016072008.tif 000004
【図３】
2016072008.tif 000005
【図４】
2016072008.tif 000006
【図５】
2016072008.tif 000007
【図６】
2016072008.tif 000008
【図７】
2016072008.tif 000009